(57)【要約】【課題】ゴルフスイング練習器具を提供する。【解決手段】  本発明のゴルフスイング練習器具は、支持ロッド７を含み、支持ロッド７上に同一平面にないバックスイングの軌跡軌道１及びダウンスイングの軌跡軌道２を設け、バックスイングの軌跡軌道１及びダウンスイングの軌跡軌道２の両端は、対応して接続し、且つそのうち、１つの接続箇所に自由端を有するフィニッシュ軌跡軌道１３を接続する。【選択図】図４
2015509020.tif 000002
【特許請求の範囲】
【請求項１】
支持ロッドを含むゴルフスイング練習器具であって、
前記支持ロッド上に同一平面上にないバックスイングの軌跡軌道及びダウンスイングの軌跡軌道を設け、前記バックスイングの軌跡軌道及びダウンスイングの軌跡軌道の両端は、対応して接続し、且つそのうち１つの接続箇所に自由端を有するフィニッシュ軌跡軌道を接続することを特徴とするゴルフスイング練習器具。
【請求項２】
前記支持ロッド上に、回転盤及び分度器を設けるガイド溝を含み、ガイド溝が回転盤上に固定される、スイング角度制限装置を固定することを特徴とする請求項１に記載のゴルフスイング練習器具。
【請求項３】
前記フィニッシュ軌跡軌道の自由端上に更に、ゴルフクラブを誘導するガイド軌道及びガイド軌道を位置決めすることに用いる位置固定挿入ピンを設けることを特徴とする請求項１に記載のゴルフスイング練習器具。
【請求項４】
前記支持ロッド上に更に、バックスイングの軌跡軌道、ダウンスイングの軌跡軌道、フィニッシュ軌跡軌道及び支持ロッドのバランスを安定させることに用いる支持軌道を設けることを特徴とする請求項１に記載のゴルフスイング練習器具。
【請求項５】
前記バックスイングの軌跡軌道の開口端上に第１伸縮ロッドを設け、前記ダウンスイングの軌跡軌道の開口端に第２伸縮ロッドを設け、前記第１伸縮ロッド及び第２伸縮ロッドは、ソフトロッドによって接続され、前記ダウンスイングの軌跡軌道の密閉端及びバックスイングの軌跡軌道の密閉端は、互いに適合する嵌合栓及び嵌合溝によって選択的に接続されることを特徴とする請求項１乃至請求項４の何れか１項に記載のゴルフスイング練習器具。
【請求項６】
前記バックスイングの軌跡軌道及びフィニッシュ軌跡軌道上にそれぞれ軌道回転湾折角度を調節することに用いる第１接続部材と第３接続部材とを設け、前記ダウンスイングの軌跡軌道上に軌道回転湾折角度を調節することに用いる第２接続部材を設けることを特徴とする請求項５に記載のゴルフスイング練習器具。
【請求項７】
前記第１接続部材、第２接続部材及び第３接続部材は、何れも盤歯付きのスリーブ及びスリーブを位置決めすることに用いる位置固定挿入ピンを含み、前記２つのスリーブ上の盤歯は、ロックボルトによって固定されることを特徴とする請求項６に記載のゴルフスイング練習器具。
【請求項８】
前記支持ロッドは、ベースを含み、前記ベース上に位置固定挿入ピンを位置決めすることに用いる第４伸縮ロッドを設け、前記支持ロッド及びバックスイングの軌跡軌道、ダウンスイングの軌跡軌道、フィニッシュ軌跡軌道の間に支柱を設け、前記支柱は、第３伸縮ロッド及び固定ロッドを含み、前記固定ロッド上に調節ウエイトを設け、前記第４伸縮ロッド及び固定ロッドは、ロックボルトにより固定されることを特徴とする請求項１乃至請求項４の何れか１項に記載のゴルフスイング練習器具。
【発明の詳細な説明】
【技術分野】
【０００１】
本発明は、ゴルフ練習器具に関し、具体的にゴルフスイングの練習器具に関する。
【背景技術】
【０００２】
ゴルフにおいて、スイングは、重要な基本技術である。スイングの姿勢が適切であるか否かは、ゴルフボールの飛行軌跡に直接影響を及ぼし、成績にも影響及ぼす。ゴルフプレイヤーは、皆、姿勢さえ適切であれば、成績が甚だ悪くなることはないという経験がある。プレイヤーは、初級段階で適切なスイング動作が安定しておらず、更に、プレイ中の各種の要因により、スイングの姿勢は、最も変化を生じ易く、適切なスイングの姿勢を如何に安定させるかは、ゴルフの成績の重要なポイントとなっている。
【０００３】
スイング動作は、簡単に見えるが、実際には、多くの順守しなければならない姿勢規範を含んでおり、身体の何れか1箇所に適切でない動作があるだけで、ショットの力を発揮することができないだけでなく、打球が予期せぬ方向へ大幅にずれる可能性もある。従来のゴルフのスイング練習器具の発明者は、以下のように認識している：標準的スイング動作は、ショットの準備、バックスイング、ダウンスイング、ショット、フォロースルー、フィニッシュのゴルフクラブの軌跡が何れも同一平面上に保持されることを要求し、即ち、いわゆるスイング平面について、理想的なスイング平面は、運動者の右肩（又は左肩）からショット点までの接続線及び目標線に構成される平面である。これに基づき、現有技術中のゴルフスイング練習器具のスイング軌跡は、何れも同一面にあり、専利出願番号が200320100226.6であり、公開日が2004年12月22日の実用新案専利出願の明細書は、ゴルフスイング練習装置を公開しており、それは、ベース構造、前記ベース構造に設けられる曲線軌道を含み、前記曲線軌道の後方は、練習者を立たせてスイングの動作を行わせることができる空間を定義する。前記曲線軌道の軌跡は、同一平面上に位置する。また、専利出願番号が03277246.7であり、公開日が2004年9月8日である実用新型専利出願明細書は、スイング練習器を公開しており、その軌道面の長さが人のスイング時のゴルフクラブのショット端の最大震動幅に基づいて構成される長さである弧形軌道と、弧形軌道を所定の使用角度状態に固定する固定台と、を含み、該固定台は、前記弧形軌道底部に設けられ、図中から分かるように、その弧形軌道は、同一平面内に位置する。また、専利出願番号が200680056595.6であり、公開日が2009年12月9日である発明専利出願明細書は、気体充填式ゴルフスイング練習器具は、気体充填式軌跡軌道、調節支持ロッドを含み、前記気体充填式軌跡軌道は、スイング軌跡の軌道弧度を有し、空気内包可能な弾性材料から製造される密閉カプセル体で囲われてなり、図中から分かるように、軌跡軌道は、同一平面にある。
【０００４】
但し、高速撮影により撮影された全てのプロゴルファーのスイングから分かるように、その軌跡軌道は、正面から見て、バックスイング及びダウンスイングに示される円弧の中心点が同一点になく、側面から見て、そのバックスイング及びダウンスイングは、同一平面になく、且つ単独なバックスイング及びダウンスイングも同一平面になく、具体的には、図１及び図２に示すようであり、図１は、飛行線後方から撮像したものであり、それは、プレイヤーのバックスイング及びダウンスイングのショットの動作を描いており、そのうち、１００は、バックスイング及びダウンスイングの軌跡軌道であり、１０１は、プレイヤーである。図２は、垂直スイング面の比較的高い位置から撮像したものであり、そのうち、１０３は、バックスイング及びダウンスイングの軌跡軌道であり、１０２は、プレイヤーの左肩の実際の位置であり、図１及び図２中のバックスイング及びダウンスイングの軌跡軌道１００，１０３から分かるように、バックスイング及びダウンスイングは、同一平面内になく、従って、現在の軌跡軌道が同一平面にあるゴルフ練習器具は、完全なシミュレーション軌跡を有していないので、初級者は、上記ゴルフ練習器具によりスイングの練習をしても固定された適切なスイング動作を練習することができず、ゴルフが上達することもできない。
【先行技術文献】
【特許文献】
【０００５】
【特許文献１】専利出願番号200320100226.6
【特許文献２】専利出願番号03277246.7
【特許文献３】専利出願番号200680056595.6
【発明の概要】
【発明が解決しようとする課題】
【０００６】
本発明は、スイングの軌跡軌道を同一平面に在らせないゴルフスイング練習器具を提供する。
【課題を解決するための手段】
【０００７】
上記目的を達成する為、本発明は、以下の技術試案を採用する：
ゴルフスイング練習器具であり、それは、支持ロッドを含み、支持ロッド上に異なる同一平面上にないバックスイングの軌跡軌道及びダウンスイングの軌跡軌道を設け、ダウンスイングの軌跡軌道及びダウンスイングの軌跡軌道の両端が対応して接続され、且つそのうち１つの接続箇所に自由端を有するフィニッシュ軌跡軌道を接続する。
【０００８】
ゴルフ練習者は、バックスイングをする時、バックスイングの軌跡軌道沿って動作を開始し、バックスイングの軌跡軌道の開口端とダウンスイングの軌跡軌道の接続箇所でダウンスイングの軌跡軌道に移り、ダウンスイングの軌跡軌道に沿って動作を開始し、その後、バックスイングの軌道軌跡及びダウンスイングの軌跡軌道の他端の接続箇所でバックスイングの軌跡軌道に移り、バックスイングの動作から全体のスイング動作の終了までを継続し、上記スイング動作を繰り返して反復練習の効果を達成する。該スイング動作の軌跡は、同一平面内になく、プロゴルファーのスイング動作の軌跡を完全にシミュレーションし、練習により適切なスイング動作を固定する作用を起こす。
【０００９】
ゴルフにおいてスイングは、重要な基本技術であり、スイングの動力は、身体の旋回によってアームがショットに力を加える駆動力を連動する関係過程にある。プレイヤーは、スイング前の準備、各関節を曲げて立つ姿勢、立つ姿勢は、関節の角度からも構成され、スイングの適切性は、開始時に原因があり、それは、主に膝、皿、腰等の各関節の曲げ角度を某角度に限定してスイングする人の回転制御の支点位置が尾骨上になければならず、適切なスイングの回転は、この点にあるが、初級者は、この角度と支点の回転を制御することが困難であり、力み等の要因が人の本能に影響するからであり、更に重要要因は、ゴルフスイングが従属する回転運動であり、被とは、この過程でバランスを失うものであり、スイングの動力が角度と支点を保持することにあり、力は、先ず脚裏からプレート式で押圧して腿、腰、肩、手に伝わり、遠心力の補助を得て動力の速度が倍増してボールをショットするので、ゴルフが上手になりたければ、先ず、回転制御能力を訓練する必要があり、それこそが初めて良いショットの心髄である。このように、上記技術試案は、以下の改良を行うことができる：支持ロッド上にスイング制限角度装置を固定し、回転盤及び分度器を設けるガイド溝を含み、ガイド溝は、回転盤上に固定される。
【００１０】
ゴルフ練習する人は、分度器及びガイド溝によって該装置上の角度及び支点を設定する。それから、回転盤の回転によってゴルフ練習者のスイングの回転運動に連動し、該装置は、制限角度下で力量を回転に運用し、適切なスイングを補助する作用を有する。
【００１１】
ゴルフは、計９本のゴルフクラブを有し、各クラブ毎のフェイス面の角度は、同じでなく、各ゴルフクラブの側面の弧度は同一でなく、各プレイヤーの身長、肩幅等の要素を加え、各個人の各種ゴルフクラブ毎のスイング軌跡は、何れも同一でなくなる。従って、上記技術試案は、更に、以下の改良の行うことができる：
バックスイングの軌跡の軌道の開口端上に第１伸縮ロッドを設け、ダウンスイングの軌跡の軌道の開口端に第２伸縮ロッドを設け、第１伸縮ロッド及び第2伸縮ロッドは、ソフトロッドによって接続し、ダウンスイングの軌跡軌道の密閉端及びバックスイングの軌跡の軌道の密閉端は、互いに適合した嵌合栓及び嵌合溝により活動的に接続する。
【００１２】
バックスイング軌跡の軌道及びフィニッシュ軌跡の軌道上にそれぞれ軌道回転湾折角度を調節することに用いる第１接続部材及び第３接続部材を設け、前記ダウンスイングの軌跡の軌道上に軌道回転湾折角度を調節することに用いる第２接続部材を設ける。第１接続部材、第2接続部材及び第３接続部材は、何れも一対の盤歯付きのスリーブ及びスリーブを位置決めすることに用いる位置固定挿入ピンを含み、２つのスリーブ上の盤歯は、ロックボルトによって固定される。
【００１３】
上記フィニッシュの軌跡軌道の自由端上にゴルフクラブを誘導するガイド軌道及びガイド軌道を定位することに用いる位置固定挿入ピンを含み、前記支持ロッド上に更にバックスイング軌跡軌道、ダウンスイングの軌跡軌道、フィニッシュ軌跡軌道及び支持ロッドのバランスを安定することに用いる支持軌道を設ける。
【００１４】
支持ロッドは、ベースを含み、ベース上に位置固定挿入ピンを用いて位置決めする第４伸縮ロッドを設け、支持ロッド及びバックスイングの軌跡軌道、ダウンスイングの軌跡軌道、フィニッシュの軌跡軌道の間に支柱を設け、支柱は、第３伸縮ロッド及び固定ロッドを含み、固定ロッドは、調節ウエイトを設け、第４伸縮及び固定ロッドは、ロックボルトにより固定される。
【００１５】
第１接続部材、第2接続部材及び第３接続部材上の盤歯の噛み合わせによって対応する軌跡軌道の回転湾折角度を調節し、ダウンスイングの軌跡軌道及びバックスイングの軌跡軌道の互いに適合する嵌合栓及び嵌合溝に選択的な接続によりバックスイングの軌跡軌道及びダウンスイングの軌跡軌道の間の距離及びそれがある平面の間の挟み角を調節し、第１伸縮ロッド及び第２伸縮ロッドによって、軌道の長さを調節することができ、第１伸縮ロッド及び第２伸縮ロッド上のソフトロッドによってバックスイングからダウンスイングに転じる軌跡をシミュレーションすることができ、プロのプレイヤーのロッド上のグリップの親指及び人差し指下部の部位の軌跡と同じく、更に支柱及び支持を利用し、バックスイングの軌跡軌道及びダウンスイングの軌跡軌道の高さを調節し、異なる身長及び肩幅の練習者に適応することができる。
【発明の効果】
【００１６】
本発明は、実際のプロゴルファーのスイングの軌跡を順守し、それを練習に利用し、異なる練習者が異なるゴルフクラブで練習する時、そのスイング動作中のゴルフクラブ軌跡はプロゴルファーのゴルフクラブの軌道軌跡を完全にシミュレーションし、これにより、練習者に更に理想的な適切なスイング姿勢を感受、学習、固定させることができ、練習者のゴルフの水準を向上させることができる。
【図面の簡単な説明】
【００１７】
【図１】プロゴルファーのスイングを飛行線の後方から撮影したスイング軌跡の説明図である。
【図２】プロゴルファーの垂直なスイング面の比較的高い位置から撮影したスイング軌跡の説明図である。
【図３】本発明の構造簡易図である。
【図４】図３中のスイング器の構造説明図である。
【図５】図４中のソフトロッド接続箇所の状態図である。
【図６】図４中の第１接続部材の角度調節後の状態図である。
【図７】図４中のバックスイングの軌跡の軌道及びフィニッシュの軌跡の軌道の調節後の状態図である。
【図８】図４中のダウンスイングの調節後の状態図である。
【発明を実施するための形態】
【００１８】
以下に図面及び実施例を併せて本発明の内容に対して更に説明を行う。
【００１９】
図３に示すように、本発明は、スイング器及びスイング角度制限装置の２つの部分から構成され、そのうち、スイング器は、バックスイングの軌跡軌道１、ダウンスイングの軌跡軌道２、フィニッシュの軌跡軌道１３、支持軌道１８、支柱６、及び支持ロッド７から構成される。支持軌道１８の一端は、接続ロッド１９によってフィニッシュ軌跡軌道１３と固定接続され、支持軌道１８の他端は、バックスイングの軌跡軌道１及びダウンスイングの軌跡軌道２と固定接続されて、スイング練習時にバックスイングの軌跡軌道１、ダウンスイングの軌跡軌道２、フィニッシュ軌跡軌道１３及び支柱６のバランスを安定させることができる。支柱６及び支持ロッド７を利用して、軌道の高さを調節することができる。スイング角度制限装置は、スイング器の補助として使用し、それは、回転盤９、分度器１０及びガイド溝１１から構成され、練習時、ゴルフ練習者１０４がスイング器及びスイング角度制限装置の間に立ち、ゴルフクラブを軌道内に設置し、分度器１０によりゴルフ練習者１０４が依存する最適な角度を測量し、回転盤９をゴルフ練習者１０４が依存する最適な支点まで回転させ、この後、スイング動作を開始してスイングの練習を行うことができる。
【００２０】
図４に示すように、スイング器のバックスイングの軌跡軌道１は、第１接続部材３から第１調節弧形軌道１２、固定弧形軌道１１の二段に分かれ、ダウンスイングの軌跡軌道２は、第２接続部材４から第２調節弧形軌道２２及び移動弧形軌道２１の二段に分かれる。前記バックスイングの軌跡軌道１は、ダウンスイングの軌跡軌道２より長く、固定弧形軌道１１は、第１調節弧形軌道１２より長く、移動弧形軌道２１は、第２調節弧形軌道２２より長い。フィニッシュ軌跡軌道１３上には更に、ゴルフクラブをガイドするガイド軌道１４及びガイド軌道１４の位置決めに用いる位置固定挿入ピン１４１を設ける。移動弧形軌道２１の下端、弧形軌道１１の中部及びフィニッシュ軌跡軌道１３は、互いに適合する嵌合溝２３及び嵌合栓１５によって選択的に接続される。図５に示すように、第１調節弧形軌道１２及び第２調節弧形軌道２２の末端に、それぞれ軌道の長さを調節可能な第１伸縮ロッド１６及び第２伸縮ロッド２４を設け、且つ第１伸縮ロッド１６及び第２伸縮ロッド２４の間は、ソフトロッド８によって接続され、ゴルフクラブをバックスイングの軌跡軌道１に沿ってソフトロッド８を介して順にダウンスイングの軌跡軌道２に転じさせる。図６に示すように、第１接続部材３、第２接続部材４及び第３接続部材５が軌道回転湾折角度を調節する機構は、同一であり、スリーブ３１及びスリーブ３２上で対応して対をなす盤歯３１１，３２１の噛み合わせ作用によって、第１調節弧形軌道１２と固定弧形軌道１１及び第２調節弧形軌道２２と移動弧形軌道２１の間を湾折させた後、ロックボルト３３で固定し、軌道湾折角度及び回転角度を変化させ、異なる身長、肩幅の人の要求を満たし、同時に、位置固定挿入ピン３２２によってスリーブ３１を位置決めすることができる。図７に示すのは、バックスイングの軌跡軌道１及びフィニッシュ軌跡軌道１３を第１接続部材３及び第３接続部材５によって調節した後の使用状態である。図８に示すのは、ダウンスイングの軌跡軌道２の第２接続部材４による調節後の使用状態図である。
【００２１】
図４に示すように、支柱６は、第３伸縮ロッド６２及び固定ロッド６３を含み、固定ロッド６３上に調節ウエイト６１を設け、支持ロッド７は、ベース７４を含み、ベース７４上に位置固定挿入ピン７２を用いて位置決めする第４伸縮ロッド７１を設け、第４伸縮ロッド７１及び固定ロッド６３は、ロックボルト７３により固定される。
【００２２】
図４に示すように、スイング練習時、ゴルフクラブが図４中の矢印の方向にバックスイングの軌跡軌道１でバックスイングし、ダウンスイングの軌跡軌道２でダウンスイングし、ゴルフクラブが最後にフィニッシュ軌跡軌道１３上のガイド軌道１４を通過し、バックスイングの軌跡軌道１の自由端を経て開始位置に戻り、次のスイング過程を開始する。
【００２３】
なお、本発明では好ましい実施例を前述の通り開示したが、これらは決して本発明に限定するものではなく、当該技術を熟知する者なら誰でも、本発明の精神と領域を脱しない均等の範囲内で各種の変動や潤色を加えることができることは勿論である。
【符号の説明】
【００２４】
１００  バックスイングとダウンスイングの軌跡の軌道
１０１  プレイヤー
１０２  プレイヤーの左肩の実際の位置
１０３  バックスイング及びダウンスイングの軌跡軌道
１０４  ゴルフ練習者
１  バックスイングの軌跡軌道
１１  固定弧形軌道
１２  第１調節弧形軌道
１３  フィニッシュの軌跡軌道
１４  ガイド軌道
１４１  位置固定ラッチ
１５  嵌合栓
１６  第１伸縮ロッド
２  ダウンスイング軌跡軌道
２１  移動弧形軌道
２２  第2調節弧形軌道
２３  嵌合溝
２４  第2伸縮ロッド
３  第１接続部材
３１  スリーブ
３１１  盤歯
３２  スリーブ
３２１  盤歯
３２２  位置固定挿入ピン
３３  ロックボルト
４  第2接続部材
５  第３接続部材
６  支柱
６１  調節ウエイト
６２  第３伸縮ロッド
６３  固定ロッド
７  支持ロッド
７１  第４伸縮ロッド
７２  位置固定挿入ピン
７３  ロックボルト
７４  ベース
８  ソフトロッド
９  回転盤
１０  分度器
１７  ガイド溝
１８  支持軌道
１９  接続ロッド
【図１】
2015509020.tif 000003
【図２】
2015509020.tif 000004
【図３】
2015509020.tif 000005
【図４】
2015509020.tif 000006
【図５】
2015509020.tif 000007
【図６】
2015509020.tif 000008
【図７】
2015509020.tif 000009
【図８】
2015509020.tif 000010
【国際調査報告】
2015509020.tif 000011
2015509020.tif 000012
2015509020.tif 000013
2015509020.tif 000014